(57)【要約】      （修正有）【課題】月日の経過による見た目の変化、変色、劣化、錆移り、転倒による破損を防止し、転倒防止固定、盗難防止が可能な石のぼり旗立てを提供する。【解決手段】石のぼり旗立ては石のぼり旗立て本体１を有し、石のぼり旗立て本体１は、花崗岩系の硬石で劣化や変色のしにくい高級御影石を使用することで、見た目も良く、錆移りが無くなる。のぼりの棒を立てる上穴２、水抜きの下穴３、転倒防止固定の穴４を２個、水抜き用の溝５、文字彫刻６、石の面取り７、などの石材加工をすることで本体１の転倒による破損防止、本体１と接地面に穴９をあけてステンレス製の棒８を入れ石材用ボンドで固定することで転倒防止、盗難防止などに役立つ。【選択図】図１
0003228892.tif 000002
【実用新案登録請求の範囲】
【請求項１】
材料に石を使用したのぼり旗立て。使用する石種は、花崗岩系の硬石で劣化に強い高級御影石を使用する。石材加工をすることで、持ち運びしやすい重さまで切削して、石の角を丸く面取りして転倒時や運搬、収納時に重ねた時に角欠けを防止する。本体の立てり面に、サウンドブラスト機で、文字彫刻を入れて販売店のＰＲ、盗難防止や屋外使用では雨水が抜けるように本体に貫通穴をあけて底に溝切と、転倒防止のために本体の底に２か所穴をあけて固定もできる特徴の石のぼり旗立て。
【考案の詳細な説明】
【技術分野】
【０００１】  本考案は花崗岩系の硬石で劣化に強い高級御影石を使用して石材加工をすることで、持ち運びしやすい重さまで切削して、石の角を丸く面取りして転倒時や運搬、収納時に重ねた時に角欠けを防止する。本体の立てり面に、サウンドブラスト機で、文字彫刻を入れて販売店のＰＲ、盗難防止や屋外使用では雨水が抜けるように本体に貫通穴をあけて底に溝切と、転倒防止のために本体の底に２か所穴をあけて固定もできる特徴の石のぼり旗立てに関するものである。
【背景技術】
【０００２】  のぼり旗立ては、コンクリート製品、プラスチック製品、鉄製品がある。
【考案の概要】
【考案が解決しようとする課題】
【０００３】  コンクリート製のぼり旗立ては、コンクリートは、月日の経過で見栄えが悪く、密度が軽いので体積が大きくなってしまう。プラスチック製のぼり旗立ては、水を入れて重さを出すために体積が大きくなり、屋外での使用は月日の経過で劣化して破損をする。鉄製のぼり旗立ては、使用により床との接地面がこすれて塗装が剥がれ落ち野外の場合、錆が浮いてきて周囲に錆が移る原因にもなり、接地面と固定するのが困難である。従来ののぼり旗立てに会社ＰＲなどを入れる場合は、シールやペイントになる為月日の経過で文字が消えたりはがれたりする。
【課題を解決するための手段】
【０００４】  本考案は、高級御影石を使用することで、見栄えも良く、御影石に硬石で密度が高いので体積が小さくでき、収納スペースも場所を取らない。また、御影石を使用している為、劣化することなく半永久的に使用が可能である。本体と接地面を固定することで転倒防止固定や、盗難防止ができる。会社ＰＲ、名前、個数確認のため番号を本体の立てり面に文字彫刻することで、シールやペイントと違い文字が消えたりはがれたりしない。本考案は月日の経過による本体の見た目、変色、劣化、錆移り、転倒防止固定、盗難防止、文字が消えないなどを解決している。
【考案の効果】
【０００５】  上述の様に、本考案の高級御影石のぼり旗立ては月日の経過による従来品の劣化による見た目、破損、変色、錆移り、転倒防止の固定が困難などの問題をすべて解決している。
【図面の簡単な説明】
【図１】本考案の石のぼり旗立ての一実施例を示す投影図である。
【図２】本石のぼり旗立てを正面から見た立面断面図である。
【図３】本石のぼり旗立てを右面から見た立面断面図である。
【考案を実施するための形態】
【０００６】  石のぼり旗立てを屋内で使用する場合は、本体を直置きでの使用もできるが、床面を傷つけ防止に、下面の四隅の角にゴムシールや市販の保護シールを張ってから設置する。次に本体の上に空いている穴にのぼり旗の棒を立てる。穴に遊びがある場合は、プラスチック製の楔を差し込み固定する。屋外で使用する場合は屋内と使用方法は一緒であるが、強風が吹く場所などには本体の底に２つあけてある穴にステンレス製の錆無い棒を差し込み、本体の穴の位置に合わせて下穴を２つあけてから石材専用のボンドで固定する。本体の正面の立てり面にサウンドブラスト機で文字彫刻をすることで、お店やイベントのＰＲにもできて盗難防止にもなる。石本体に文字彫刻するため屋外の設置では、シールやプリントと違って劣化による影響も少ない。
【実施例】
【０００７】  屋内で使用する場合は、主に販売店、イベント会場などになる。石のぼり旗立てを直接置くこともできるが、床を傷つけられない場所では本体の下面の四隅にゴムシールや市販の保護シールを張ってから設置する。次に本体の上に空いている穴にのぼり旗の棒を立てる。穴に遊びがある場合は、プラスチック製の楔を差し込み固定する。※本体の上穴は、のぼり旗の棒を立てたり、抜いたりしやすい様に少し余裕がある。
本体の正面の立てり面にサウンドブラスト機で文字彫刻をすることで、お店やイベントのＰＲにもできて盗難防止にもなる。【０００８】  屋外で使用する場合は、主に販売店、イベント会場などの屋内と使用方法は一緒であるが強風が吹く場所などには本体の底に２つあけてある穴にステンレス製の錆無い棒を差し込み、本体の穴の位置に合わせて下穴を２つあけてから石材専用のボンドで固定する。固定できない場所では、石の本体を大きくして強風でも転倒しないようにする方法も可能である。屋外用では、本体を直接設置する為に上穴から雨水が溜まるので底に水抜き用に溝切を作っている。本体の正面の立てり面にサウンドブラスト機で文字彫刻をすることで、お店やイベントのＰＲにもできて盗難防止にもなる。石本体に文字彫刻する為に屋外の設置では、シールやプリントと違って劣化による影響も少ない。
【符号の説明】
【０００８】  １  石のぼり旗立て本体
花崗岩系の硬石で劣化や変色のしにくい高級御影石を使用する。持ち運びしやすい      ように大きさを横約１８ｃｍ×奧行約１８ｃｍ×高さ約１５ｃｍで石材加工して、      重さは約４ｋｇ〜５ｋｇになっている。
２  のぼりの棒を立てる上穴
石専用の穴あけ機でのぼり旗立ての棒の直径より少し大きめの穴で、天場から石の      中心で直径が約２５ｍｍ（約９分）の穴を、上から深さ約１５ｃｍ（約５寸）で穴      をあける。
３  水抜きの下穴
石専用の穴あけ機で、のぼりの棒を立てる上穴より小さい穴を石の中心に合わせて      石の底から直径が約１５ｍｍ（約５分）で穴をあけて上穴と貫通させる。
４  転倒防止固定用の穴  ２個
水抜きの下穴を基準にして石の中心から約４５ｍｍ（約１寸５分）の位置に中心を      合わせて直径が８ｍｍで深さ約３０ｍｍ（約１寸）の穴を左右に２つあける。
５  水抜き用の溝
水抜きの下穴から深さ約３ｍｍ（約１分）で、裏面に向かって線で切れ込みを入れ      る。
６  文字彫刻
サウンドブラスト機を使用した文字彫刻で、文字の深さ約１ｍｍ（３分）で彫る。      文字の書き込める面積は、高さ約１２ｃｍ（約４寸）×横約１５ｃｍ（約５寸）以      内まで文字彫刻できる。本体に文字彫刻することで、文字が消えない、販売店のＰ      Ｒ、盗難防止に役立つ。
７  石の面取り
石のぼり旗立てを重ねて積んだ時や転倒による角の石欠けを防止する為に、石の上      の部分の角を前後左右に約１ｃｍ（約３分）を丸く削って、四隅の立てりの角も約      ５ｍｍ（約１分５厘）を丸く削る石材加工をする。
８  ステンレス製の棒
鉄製の棒は錆が出る為に、ステンレス製の棒で直径が約６ｍｍで長さ約６０ｍｍ（      約２寸）を使用する。
９  石のぼり旗立てを固定する為の下穴
転倒防止固定用の穴は、直径８ｍｍであけた２つの穴に位置を合わせて、下穴を直      径１０ｍｍで深さ約３０ｍｍ（約１分）の穴を左右に２つあける。
１０  プラスチック製の楔
石のぼり旗立てにのぼり旗を立てた時に、穴に遊びが多くある場合は市販のプラス      チック製の楔を差し込むことで固定ができる。
１１  石材用ボンド
公共事業などでも使用されている石材用弾力性接着剤ストンコークＲを使用する。
【図１】
0003228892.tif 000003
【図２】
0003228892.tif 000004
【図３】
0003228892.tif 000005
【手続補正書】
【提出日】令和2年7月22日(2020.7.22)
【手続補正１】
【補正対象書類名】実用新案登録請求の範囲
【補正対象項目名】全文
【補正方法】変更
【補正の内容】
【実用新案登録請求の範囲】
【請求項１】
花崗岩系の硬質で劣化に強い高級御影石を運搬しやすい大きさに切削して、角欠け防止に角を丸く面取り、転倒防止に固定用の穴を底に２か所空けて、のぼり旗を立てる穴を石の中心に貫通穴を空け、水抜き用に底に溝切りを入れて、立面に文字彫刻するのを特徴とする高級御影石のぼり旗立て。